(57)【要約】【課題】頸椎を受ける部分を支点にして頭を適正な水平状態に保持できるように、個人的な体型に合った調整ができ、就寝中にその適正な姿勢が変化しないよう維持されやすい寝枕を提供する。【解決手段】ベース盤の前端に枕高となる頸部受けを一体に突設した半硬質若しくは硬質の枕主体と、頸部受けの後ろにおいてベース盤上に組み合ってやや低い枕高となる左右一対の高さブロックとの組合せからなり、且つ、これらの組合せを被覆する枕カバー付きであって、両高さブロックは、対面が相対方向に低くなる斜面であって、後方へ開き傾斜の複合対向傾斜面に形成してなり、さらに、頭受けとして頭の重みに抗して開き過ぎないよう両高さブロックの間隔を保持する開き調整手段を具備した。【選択図】    図１
2015104651.tif 000002
【特許請求の範囲】
【請求項１】
ベース盤の前端に枕高となる頸部受けを一体に突設した半硬質若しくは硬質の枕主体と、頸部受けの後ろにおいてベース盤上に組み合ってやや低い枕高となる左右一対の高さブロックとの組合せからなり、且つ、これらの組合せを被覆する枕カバー付きであって、両高さブロックは、対面が相対方向に低くなる斜面であって、後方へ開き傾斜の複合対向傾斜面に形成してなり、さらに、頭受けとして頭の重みに抗して開き過ぎないよう両高さブロックの間隔を保持する開き調整手段を具備したことを特徴とする寝枕。
【請求項２】
枕カバーは、両端開きの袋状型であって、両端の袋口を巾着紐で絞ることにより、高さブロックを押し止め得るよう絞り調整具を前記開き調整手段として具備したことを特徴とする請求項１記載の寝枕。
【請求項３】
頸部受けの後面と高さブロックの前面とが互いに接合するなだらかな湾曲傾斜面および湾曲合せ面にそれぞれ形成され、前記開き口の内部が、前記複合対向傾斜面と共に斜面で囲んでいることを特徴とする請求項１又は２記載の寝枕。
【発明の詳細な説明】
【技術分野】
【０００１】
この発明は、頭を載せて使用する寝枕に関するものである。
【背景技術】
【０００２】
従来、そば殻や綿類等を詰めた枕が多用されてきたが、これでは、繰り返し使用により詰め物が偏り軟弱化するなど、形状が不安定であり高さも次第に低くなるため高く造られることが多い。しかし、高すぎると、頭がその重みで前屈みになるため、殊に太った体格の人では、その前屈みの姿勢のために、上気道が狭くなり、舌根が重みで下がることで気道を塞ぐために、これが有害な睡眠時無呼吸の原因を招くという問題があった。また、高すぎると、全身の様々な神経が集中する頸椎が圧迫されるため、肩や首のこり、不眠、いびきなどの症状が出てくるという問題もあった。
【０００３】
このような問題を解決するために、頭を水平に保持し得るように、現在では、低い形状であって、前後間の真ん中に窪みを有する低発泡プラスチック等の形が安定した半硬質の枕が多用される。
【発明の概要】
【発明が解決しようとする課題】
【０００４】
上記のような低発泡の新型の枕によれば、使用者の頸部が前側の隆起部に支持されてここを支点として頭が窪み部に落ち込んで水平状態に保持されるから、睡眠時無呼吸、しびれや肩こり等の防止に良いとされるが、体型は人によりさまざまであって、頭の形にも違いがあるため、不都合なく適正に使用できるとは限らなく、肥満タイプであるとか、頭の後部が出っ張っているとかすると、頭が前屈み傾向になるために睡眠時無呼吸等の防止に万全ではなく、頸椎は依然として下に湾曲するような不自然な姿勢となるため、肩こりや痛みを防止できなかったりするという事態を招来していた。
【０００５】
この発明は、上記のような実情に鑑みて、頸椎を受ける部分を支点にして頭を適正な水平状態に保持できるように、個人的な体型に合った調整ができ、就寝中にその適正な姿勢が変化しないよう維持されやすい寝枕を提供することを課題とした。
【課題を解決するための手段】
【０００６】
上記の課題を解決するために、この発明は、ベース盤の前端に枕高となる頸部受けを一体に突設した半硬質若しくは硬質の枕主体と、頸部受けの後ろにおいてベース盤上に組み合ってやや低い枕高となる左右一対の高さブロックとの組合せからなり、且つ、これらの組合せを被覆する枕カバー付きであって、両高さブロックは、対面が相対方向に低くなる斜面であって、後方へ開き傾斜の複合対向傾斜面に形成してなり、さらに、頭受けとして頭の重みに抗して開き過ぎないよう両高さブロックの間隔を保持する開き調整手段を具備したことを特徴とする寝枕を提供する。
【０００７】
寝枕を上記のように構成したから、両高さブロックの間を適当に開けて、その間隔を調整手段で保持した状態で使用するもので、頸部受けの上に頸の後ろを当てながら頭を高さブロックの間に載せると、両高さブロックの間が開いている両対面斜面の間に頭が落ちて、その対面斜面の間に安定して受けられ、頭は、対面斜面の間が「狭い」で高く、「広い」で低く支持されるよう調整される。
【発明の効果】
【０００８】
以上説明したように、この発明の寝枕によれば、頸部受けを支点として頭が水平状態に調整できるものであって、肥満であるとか、後頭部が出っ張っているとかであっても、適正な水平状態を得ることによって、睡眠時無呼吸の発生や肩こり、首こり、不眠、いびき等の症状が出る不都合を防止でき、また、頭が開き口に落ちても対面斜面の囲みにやさしく触れて安定して保って熟睡できるため、朝起きるとスッキリしていて、首・肩にうっ血感がなく、すごく快適となるように、頭が適正に保持されるという優れた効果がある。
【図面の簡単な説明】
【０００９】
【図１】この発明の寝枕の枕本体を枕袋カバーが外れた状態で示す斜視図である。
【図２】同寝枕を後方面から見た正面図（枕袋カバー５は一点鎖線で模式的に示す）である。
【図３】側面から見た同寝枕の横断面図である。
【図４】同寝枕の高さブロックの上下分離した断面側面図である。
【図５】他の実施例を示す枕本体の一部を断面図にして示した正面図である。
【発明を実施するための形態】
【００１０】
枕主体２および高さブロック３の材質については、形が安定しておりやさしく触れるものが望ましく、例えば、低発泡プラスチック、半硬質プラスチック、発泡プラスチック、木等を挙げることができる。
【００１１】
高さブロック３，３間の間隔保持手段については実施例に限られなく、枕袋カバー５に依らない場合もある。
【実施例１】
【００１２】
図１ないし図５は、この発明の一実施例を示したもので、その寝枕Pは、枕主体２と、それに組み合う左右一対の高さブロック３，３とで枕本体１が構成されるが、その組合せを包む枕袋カバー５が付いている。そして、枕袋カバー５は高さブロック３，３の間Ｌの間隔調整手段を具えている。
【００１３】
枕主体２は、枕本体１の主体となるもので、横にストレートの一体形状であって、高さブロック３，３が載るベース盤９があって、その前端部に枕高となるよう起立し頭を頸の部分で受ける頸部受け１１が立設される。しかし、頭が落ちても痛くないようその後ろ面が円弧でベース盤９面に降りる緩やかな湾曲傾斜面１３に形成してある。
【００１４】
ベース盤９の後端部は、高さブロック３，３の載置面となっており、また、頸部受け１１の上端は受けの力を緩和しやすく低い傾斜の前方傾斜面１５aと後方傾斜面１５ｂにより低い山形に形成される。
【００１５】
高さブロック３，３は、ベース盤９の上に載置されることにより、前端面が前記湾曲傾斜面１３に接合する湾曲合せ面１７を有し、従来の窪みに相当して頸部受け１１よりもやや低く形成される。
【００１６】
しかし、単なる窪みに相当するものではなく、両高さブロック３，３の間が開閉可能に開いており、この開き口１８に挟まれるように頭が受けられるために、窪みよりもさらに低く頭を受ける形態となるので、頭の大きさ等の個人的な体格を考慮して開き口１８が調整される。
【００１７】
両高さブロック３，３は、同じ対称形状であって、対向傾斜面１９，１９が左右傾斜において後方へ開き角度となり、複合して斜面が形成される。従って、開き口１８は、頭にきつい力が加わらないように、前記湾曲傾斜面１３と、二次元の複合対向傾斜面１９，１９との囲みにより、落ち込みの頭受け緩和体勢が取られ、これにより頭がたとえ後ろ傾斜となってもやさしく受けられようになっている。
【００１８】
間隔の調整手段は、枕本体１が窮屈に嵌るチューブ形の枕袋カバー５によるもので、その両端の巾着絞りの締め紐２１，２１に絞止金具２３，２３（プラスチック製など、材質は問わない）を取り付け、両方の締め紐２１，２１の絞加減により両高さブロック３，３の間隔Ｌが拡大しないよう抑制される。また、袋５が頭１０の重みで開き口１８に落ち込んだ時（図２の５ａの部分）に生じる突っ張る力が抑制力に加わる。
【実施例２】
【００１９】
図５は、枕主体２に高さブロック３，３を安定して結合できるように、主に間隔保持手段について他の実施例を示したもので、枕主体２には、高さブロック３，３が係合するガイド２５が後端縁に沿って突設してあるほか、間隔調整手段として、ベース盤９の上には、横に等間隔に結合凸条２７，２７、・・を突設し、高さブロック３，３の底面には、これと係合する結合凹溝２８，２８、・・が形成される。なお、間隔調整手段としては、高さブロック３，３とベース盤９との関係において、一方に突起、他方にその突起と嵌合する窪み、或いは相互に掛止する手段など、間隔調整手段の方法は特に限定されるものではない。
【符号の説明】
【００２０】
Ｐ  寝枕
１  枕本体
２  枕主体
３  高さブロック
５  枕袋カバー
９  ベース盤
１１  頸部受け
１３  湾曲傾斜面
１７  湾曲合せ面
１８  開き口
１９  複合対向傾斜面
２１  締め紐
２３  締止金具
２５  ガイド
２７  結合凸条
２８  結合凹溝
【図１】
2015104651.tif 000003
【図２】
2015104651.tif 000004
【図３】
2015104651.tif 000005
【図４】
2015104651.tif 000006
【図５】
2015104651.tif 000007